(57)【要約】【課題】同一の放送局から送信される複数の番組を記憶媒体等に記録する場合であっても、その記憶媒体に記録された記録データの検索を容易にする。【解決手段】記録装置１は、何れかの受信設定（周波数）を選択時に受信可能に放送局から配信されるデータをチューナー部１８で受信し、ＭＤメカ部２２でこの受信されたデータをトラック毎に格納するとともに、当該トラック毎の関連付けを行うグループ情報を格納する際に、制御部１１において、チューナー部１８の受信設定を取得し、その取得された受信設定をグループ情報に設定する。【選択図】図１
2008159174.tif 000002
【特許請求の範囲】
【請求項１】
何れかの受信設定を選択時に受信可能に放送局から配信されるデータを受信する受信手段と、
前記受信されたデータの各々を記録単位毎に格納するとともに、当該記録単位毎の関連付けを行うグループ情報を記憶媒体に格納する記録手段と、
前記受信手段の受信設定を取得する受信設定取得手段と、
前記受信設定取得手段で取得された前記格納するデータの受信設定に係る情報を前記グループ情報に設定する記録制御手段と、
を備えることを特徴とする記録装置。
【請求項２】
何れかの受信設定を選択時に受信可能に放送局から配信されるデータを受信する受信手段と、
前記受信されたデータの各々を記録単位毎に階層別に分類して記憶媒体に格納する記録手段と、
前記受信手段の受信設定を取得する受信設定取得手段と、
前記受信設定取得手段で取得された前記格納するデータの受信設定に係る情報を前記記録単位毎に分類する階層に設定する記録制御手段と、
を備えることを特徴とする記録装置。
【請求項３】
前記放送局から配信されるデータを受信可能な受信設定と当該受信設定を識別する識別情報とを関連付けて設定する受信設定情報を格納する記憶手段を更に備え、
前記受信設定取得手段は、前記格納するデータの受信設定が前記受信設定情報で設定された受信設定である場合に、当該受信設定に関連付けられた識別情報を前記格納するデータの受信設定に係る情報とすることを特徴とする請求項１又は２に記載の記録装置。
【請求項４】
何れかの受信設定を選択時に受信可能に放送局から配信されるデータを受信する受信手段を有するコンピュータを、
前記受信されたデータの各々を記録単位毎に格納するとともに、当該記録単位毎の関連付けを行うグループ情報を記憶媒体に格納する記録手段、
前記受信手段の受信設定を取得する受信設定取得手段、
前記受信設定取得手段で取得された前記格納するデータの受信設定に係る情報を前記グループ情報に設定する記録制御手段として機能させることを特徴とするプログラム。
【請求項５】
何れかの受信設定を選択時に受信可能に放送局から配信されるデータを受信する受信手段を有するコンピュータを、
前記受信されたデータの各々を記録単位毎に階層別に分類して記憶媒体に格納する記録手段、
前記受信手段の受信設定を取得する受信設定取得手段、
前記受信設定取得手段で取得された前記格納するデータの受信設定に係る情報を前記記録単位毎に分類する階層に設定する記録制御手段として機能させることを特徴とするプログラム。
【請求項６】
何れかの受信設定を選択時に受信可能に放送局から配信されるデータを受信する受信手段で受信されたデータの各々を記録手段で記録単位毎に記憶媒体に格納する際に、前記格納するデータの受信設定を取得し、当該取得された受信設定に係る情報を前記記録単位毎の関連付けを行うグループ情報に設定して、当該設定されたグループ情報を記憶媒体に格納することを特徴とする記録方法。
【請求項７】
何れかの受信設定を選択時に受信可能に放送局から配信されるデータを受信する受信手段で受信されたデータの各々を記録手段で記録単位毎に階層別に分類して記憶媒体に格納する際に、前記格納するデータの受信設定を取得し、当該取得された受信設定に係る情報を前記記録単位毎に分類する階層に設定して、当該受信設定に係る情報が設定された階層に前記記録単位毎に格納することを特徴とする記録方法。
【発明の詳細な説明】
【技術分野】
【０００１】
本発明は、記録装置、プログラム及び記録方法に関する。
【背景技術】
【０００２】
従来から、チューナーなどで放送局から送信される音声データを受信し、その音声データをＭＤ（Mini Disc）や半導体メモリなどの記憶媒体に記録する記録装置が知られている。この記録装置のチューナーには、地域を示すデータと当該地域で受信可能な放送局の受信周波数や局名などのデータとが対応付けられたデータが予め記憶されており、例えば、地域を示すデータとして郵便番号や電話番号などを指定することで、その地域で受信可能な放送局を自動的に設定するリージョナルオートプリセット（地域別自動プリセット）機能を有するものがある。
【０００３】
上述した記録装置では、放送局から送信される音声データを受信して記録する場合にリージョナルオートプリセットで設定された情報と記録時の受信周波数とに基づいて記録中の放送局名を取得し、その取得した放送局名を記憶媒体にトラックデータやファイルデータとして記録する際のトラックタイトルやファイル名として付与するものがあった。例えば、特許文献１には、放送番組のトラックへの記録に際し、記録終了時に放送局名をトラックのタイトルとして記録する技術が開示されている。このように、従来の記録装置は、トラックタイトルやファイル名に放送局名が記録されるため、記録データの管理を放送局毎に行うことができるものであった。
【特許文献１】特開２０００−１３７９７７号公報
【発明の開示】
【発明が解決しようとする課題】
【０００４】
そして、近年においては、記憶媒体の大容量化が進み、放送局から送信される数多くの番組を一つの記憶媒体に記録することが可能となったことから、複数の記憶媒体に分けて記録データを管理する必要がなくなりつつある。しかしながら、上述した従来技術では、放送局毎にトラックタイトルやファイル名を付して記録データを管理する構成であるため、一つの放送局から送信される複数の番組を記録した場合、その全てに同じトラックタイトルやファイル名が付いてしまい、記録データの検索が困難になるという問題が生じるようになった。
【０００５】
本発明の課題は、上記従来技術の問題に鑑みてなされたものであって、同一の放送局から送信される複数の番組を記憶媒体等に記録する場合であっても、その記憶媒体に記録された記録データの検索を容易にすることである。
【課題を解決するための手段】
【０００６】
上記課題を解決するために、請求項１に記載の発明は、何れかの受信設定を選択時に受信可能に放送局から配信されるデータを受信する受信手段と、
前記受信されたデータの各々を記録単位毎に格納するとともに、当該記録単位毎の関連付けを行うグループ情報を記憶媒体に格納する記録手段と、
前記受信手段の受信設定を取得する受信設定取得手段と、
前記受信設定取得手段で取得された前記格納するデータの受信設定に係る情報を前記グループ情報に設定する記録制御手段と、
を備えることを特徴とする。
【０００７】
請求項２に記載の発明は、何れかの受信設定を選択時に受信可能に放送局から配信されるデータを受信する受信手段と、
前記受信されたデータの各々を記録単位毎に階層別に分類して記憶媒体に格納する記録手段と、
前記受信手段の受信設定を取得する受信設定取得手段と、
前記受信設定取得手段で取得された前記格納するデータの受信設定に係る情報を前記記録単位毎に分類する階層に設定する記録制御手段と、
を備えることを特徴とする。
【０００８】
請求項３に記載の発明は、請求項１又は２に記載の発明において、前記放送局から配信されるデータを受信可能な受信設定と当該受信設定を識別する識別情報とを関連付けて設定する受信設定情報を格納する記憶手段を更に備え、
前記受信設定取得手段は、前記格納するデータの受信設定が前記受信設定情報で設定された受信設定である場合に、当該受信設定に関連付けられた識別情報を前記格納するデータの受信設定に係る情報とすることを特徴とする。
【０００９】
請求項４に記載の発明は、何れかの受信設定を選択時に受信可能に放送局から配信されるデータを受信する受信手段を有するコンピュータを、
前記受信されたデータの各々を記録単位毎に格納するとともに、当該記録単位毎の関連付けを行うグループ情報を記憶媒体に格納する記録手段、
前記受信手段の受信設定を取得する受信設定取得手段、
前記受信設定取得手段で取得された前記格納するデータの受信設定に係る情報を前記グループ情報に設定する記録制御手段として機能させることを特徴とする。
【００１０】
請求項５に記載の発明は、何れかの受信設定を選択時に受信可能に放送局から配信されるデータを受信する受信手段を有するコンピュータを、
前記受信されたデータの各々を記録単位毎に階層別に分類して記憶媒体に格納する記録手段、
前記受信手段の受信設定を取得する受信設定取得手段、
前記受信設定取得手段で取得された前記格納するデータの受信設定に係る情報を前記記録単位毎に分類する階層に設定する記録制御手段として機能させることを特徴とする。
【００１１】
請求項６に記載の発明は、何れかの受信設定を選択時に受信可能に放送局から配信されるデータを受信する受信手段で受信されたデータの各々を記録手段で記録単位毎に記憶媒体に格納する際に、前記格納するデータの受信設定を取得し、当該取得された受信設定に係る情報を前記記録単位毎の関連付けを行うグループ情報に設定して、当該設定されたグループ情報を記憶媒体に格納することを特徴とする。
【００１２】
請求項７に記載の発明は、何れかの受信設定を選択時に受信可能に放送局から配信されるデータを受信する受信手段で受信されたデータの各々を記録手段で記録単位毎に階層別に分類して記憶媒体に格納する際に、前記格納するデータの受信設定を取得し、当該取得された受信設定に係る情報を前記記録単位毎に分類する階層に設定して、当該受信設定に係る情報が設定された階層に前記記録単位毎に格納することを特徴とする。
【発明の効果】
【００１３】
本発明によれば、何れかの受信設定を選択時に受信可能に放送局から配信されるデータの各々を記録単位毎に記憶媒体に格納する場合、配信されるデータの各々は記録単位毎に識別可能であって、当該記録単位に格納するデータを受信した際の受信設定に係る情報であるグループ情報に関連付けられているため、同一の受信設定を選択時に受信した複数のデータを記録単位毎に記憶媒体に格納した場合であっても、そのデータ検索を容易に行うことができる。
【００１４】
また、本発明によれば、何れかの受信設定を選択時に受信可能に放送局から配信されるデータの各々を記録単位毎に階層別に分類して記憶媒体に格納する場合、配信されるデータの各々は記録単位として識別可能であって、当該記録単位として格納するデータを受信した際の受信設定に係る情報が設定された階層に格納されるため、同一の受信設定を選択時に受信した複数のデータを記録単位として記憶媒体に格納した場合であっても、その記録単位の検索を容易に行うことができる。
【発明を実施するための最良の形態】
【００１５】
以下、この発明の実施の形態について、図１〜図４を参照して説明するが、この発明は以下の実施の形態に限定しない。また、この発明の実施の形態は発明の最も好ましい形態を示すものであり、発明の用途や用語はこれに限定するものではない。
【００１６】
先ず、記録装置の構成について図１を参照して説明する。図１は、記録装置１の機能的構成を模式的に示すブロック図である。
【００１７】
図１に示すように、記録装置１は、記憶媒体読出／書込部１５、ＣＤメカ部１６、入出力端子部１７、チューナー部１８、ＭＤメカ部２２などを有し、ＣＤ（Compact Disc）、ＭＤ（MiniDisc）、半導体メモリやＨＤＤ（Hard  Disk  Drive）等の記憶媒体に格納されている音声データの再生や、放送局から放送されている音声放送の再生、外部機器から出力される音声データの再生を音声出力部２５で行う、又は、ＣＤに格納された音声データ、外部機器から出力される音声データ、受信した音声データを上述した記憶媒体やＭＤに格納する、いわゆるオーディオ機器としての機能を有する装置である。
【００１８】
具体的には、記録装置１は、上記構成の他に、制御部１１、表示部１２、操作部１３、記憶部１４、セレクター１９、ＡＤＣ２０、ＤＳＰ２１、ＤＡＣ２３、アンプ部２４を備える構成である。
【００１９】
制御部１１は、特に図示しないＣＰＵ（Central  Processing  Unit）、ＲＯＭ（Read  Only  Memory）、ＲＡＭ（Random  Access  Memory）などを備える回路部であり、ＣＰＵがＲＯＭや後述する記憶部１４に格納された各種制御プログラムや設定データなどをＲＡＭの作業領域に展開して順次実行することで、記録装置１における各部の動作を統括制御する。また、制御部１１は、常時一定周波数を発信する水晶発振器によるクロック信号を基準に、計時を行う計時回路（いずれも図示しない）を有し、現在時刻や日付などの時刻情報を取得可能な構成である。
【００２０】
表示部１２は、ＬＣＤ（Liquid  Crystal  Display）等の表示画面により構成され、制御部１１から出力される各種表示情報の表示を行う。例えば、記録装置１の動作状態（再生・録音）やその動作に係る詳細情報（受信周波数や放送局名の表示、再生・録音曲のタイトル表示、再生・録音時間の表示、各種編集情報の表示等）の表示を行う。
【００２１】
操作部１３は、再生（ＰＬＡＹ）、録音（ＲＥＣ）、停止（ＳＴＯＰ）を指示するための操作キー、チューナー部１８における受信周波数を調整するための調整キー、録音する曲のタイトル等の文字入力を行うための文字キー、再生・録音順序の設定等を行うためのプログラムキー又は入力指示の確定を行う決定キー等の各種キーにより構成され、これらのキーが押圧操作されると、その押圧されたキーに対応する押圧信号を制御部１１に出力する。
【００２２】
記憶部１４は、半導体メモリなどの不揮発性メモリなどであり、地域を示すデータと当該地域で受信可能な放送局の受信周波数や局名などのデータとが対応付けられたデータであるリージョナルオートプリセット情報１４ａや記録装置１における各種設定情報などを格納する。
【００２３】
この記憶部１４に格納されるリージョナルオートプリセット情報１４ａは、例えば市外局番や郵便番号等の地域を示すデータとその地域において受信可能な放送局の一覧に関する情報（放送局名、周波数情報）とが関連付けられた、例えばテーブル形式の情報である。
【００２４】
制御部１１は、操作部１３から市外局番や郵便番号等のデータ入力を受け付けることで、チューナー部１８で受信可能な放送局の一覧情報（放送局名と周波数の一覧）をリージョナルオートプリセット済みの情報として、記憶部１４などに予め設定することができる。つまり、このリージョナルオートプリセット済み情報では、放送局から配信されるデータを受信可能な受信設定である周波数情報とそれを識別するための放送局名とが関連付けられている。
【００２５】
また、制御部１１は、チューナー部１８で受信している周波数情報と記憶部１４に設定されたリージョナルオートプリセット済み情報とを比較することで、現在チューナー部１８で受信中の放送局名を取得し、表示部１２などに表示することができる。具体的には、制御部１１は、現在チューナー部１８で受信中の周波数とリージョナルオートプリセット済み情報に含まれる周波数とが一致する場合に、その周波数の放送局名をチューナー部１８で受信中の放送局名として取得して表示部１２に表示する。
【００２６】
記憶媒体読出／書込部１５は、メモリスロット１５１ａとそれに介挿してデータの読み書きが可能な半導体メモリを有するメモリカード１５１ｂ、ＵＳＢスロット１５２ａ（Universal  Serial  Bus）とそれに接続してデータの読み書きか可能な半導体メモリを有するＵＳＢメモリ１５２ｂ、ＨＤＤ１５３（Hard  Disk  Drive）、半導体メモリ１５４などを有する構成であり、制御部１１の制御の下、ＤＳＰ２１から出力されるデータを上述した半導体メモリ等の記憶媒体に記録データとして格納する。この記憶媒体読出／書込部１５において記憶媒体に格納される記録データは、記録データ毎にファイル名が付与され、フォルダ毎に格納される。
【００２７】
ＣＤメカ部１６は、ＣＤを装填する装填部、光ピックアップ、トラッキングスレッドサーボ回路、スピンドルサーボ回路等により構成され（何れも図示しない）、制御部１１から入力される制御信号により、ＣＤの再生やＴＯＣ（Table  Of  Contents）エリア内の情報の読み取りに係る各種動作を行う。入出力端子部１７は、外部機器と接続可能なコネクタなどを有し、外部からの音声信号の入力や外部への音声信号の出力を行う。
【００２８】
チューナー部１８は、特に図示しないフェイズロックループを用いた同調回路を有し、制御部１１からの制御の下、所定の周波数で同調するように放送局から送信された放送信号（配信データ）を、調整可能な周波数帯域から所定の周波数を選択する、つまり、周波数（受信設定）を放送局から配信されるデータを受信可能な値に選択することで抽出する回路部である。具体的には、チューナー部１８は、アンテナ１８ａを介して受信される電波から、チューナー部１８の同調周波数帯において受信する電波の周波数を調整し、放送局から送信される電波の周波数に同調させることで、放送信号の選択的な抽出を行う。
【００２９】
セレクター１９は、制御部１１の制御の下、チューナー部１８、入出力端子部１７から入力される音声データの何れかを選択し、ＡＤＣ２０に出力する。また、セレクター１９は、制御部１１の制御の下、ＣＤメカ部１６から出力される音声データを入出力端子部１７から外部出力する。
【００３０】
ＡＤＣ２０（Analog to Digital Converter）は、セレクター１９から出力される音声データ（アナログ）をデジタル音声データに変換してＤＳＰ２１へ出力する。
【００３１】
ＤＳＰ２１（Digital Signal Processor）は、制御部１１からの制御信号による指示の下、ＭＤメカ部２２や記憶媒体読出／書込部１５でのデータ再生やデータ格納時において、各種デジタル信号処理を行う。
【００３２】
このＤＳＰ２１で行う各種デジタル信号処理としては、ＭＰ３（Moving Picture Experts Group Audio Layer-3）方式等の各種データ形式へのエンコード／デコード処理などがある。
【００３３】
ＭＤメカ部２２は、ＭＤを装填する装填部、光ピックアップ、トラッキングスレッドサーボ回路、スピンドルサーボ回路等により構成され（何れも図示しない）、制御部１１から入力される制御信号により、ＭＤにおいてトラック毎に格納されたトラックデータの再生やＵＴＯＣ（User's  Table  Of  Contents）エリア内の情報の読み取りに係る各種動作を行う。
【００３４】
また、ＭＤメカ部２２は、制御部１１からの制御信号により、ＤＳＰ２１から出力される音声データをトラックデータとしてＭＤへの録音（格納）やＵＴＯＣエリア内の情報の更新に係る各種動作を行う。具体的には、ＵＴＯＣエリア内の情報を書き換えることで、記録されたトラックデータ毎のタイトル付与や当該トラックデータのグループ毎の管理などを行う。
【００３５】
ＤＡＣ２３は、制御部１１から入力される制御信号に基づいて、ＤＳＰ２１から出力される音声データをアナログデータに変換する。アンプ部２４は、ＤＡＣ２３で変換されたアナログ音声データの増幅を行う回路部である。音声出力部２５は、イヤホン、ヘッドホン又はスピーカ等で構成され、そのアナログ変換されて増幅された音声データの音声出力を行う。
【００３６】
次に、記録装置１において、制御部１１が制御して行う動作処理を図２〜図４を参照しながら詳細に説明する。図２は、記録装置１において、チューナー部１８で受信したデータをグループ毎にタイトルを付してＭＤメカ部２２で格納する処理を示すフローチャートである。図３は、記録装置１において、チューナー部１８で受信したデータをフォルダ毎にファイル名を付して記憶媒体に格納する処理を示すフローチャートである。図４（ａ）は、グループ毎にタイトルを付して格納されたデータを例示する概念図であり、図４（ｂ）は、フォルダ毎にファイル名を付して格納されたデータを例示する概念図である。
【００３７】
［ＭＤメカ部２２でデータを格納する場合について］
先ず、記録装置１において、チューナー部１８で受信したデータをＭＤメカ部２２でＭＤにトラックデータとして格納する処理について説明する。図２に示すように、記録装置１においてチューナー部１８で放送データの受信が行われている状態で処理が開始されると、操作部１３のＲＥＣキー入力が判定された後（ステップＳ１１：Ｙ）、チューナー部１８で受信したデータをＭＤメカ部２２におけるＭＤにトラックデータとして格納する録音が開始される（ステップＳ１２）。
【００３８】
次いで、操作部１３のＳＴＯＰキー入力が判定された後（ステップＳ１３：Ｙ）、ステップＳ１２で開始されたチューナー部１８で受信したデータのＭＤメカ部２２への格納を停止させる停止要求がＭＤメカ部２２へ出力され（ステップＳ１４）、ＭＤメカ部２２でのデータ格納の停止完了が判定される（ステップＳ１５：Ｙ）まで待機される。
【００３９】
ステップＳ１５に次いで、ステップＳ１２で開始されてＭＤメカ部２２において格納されたデータについて、現在の日時をタイトルとした書き込み要求がＭＤメカ部２２に出力され（ステップＳ１６）、ＭＤメカ部２２でのタイトル書き込み完了が判定される（ステップＳ１７：Ｙ）まで待機される。
【００４０】
ステップＳ１７に次いで、記憶部１４にリージョナルオートプリセット済みの情報が格納されているか否か、つまり、リージョナルオートプリセット済みであるか否かが判定される（ステップＳ１８）。ステップＳ１８において、プリセット済みである場合は、表示部１２に放送局名が表示されているか否か、つまり、ステップＳ１２で開始されてＭＤメカ部２２で格納されたデータがオートプリセット済みの受信設定（周波数）で設定された放送局から送信されたデータであるか否かが判定され（ステップＳ１９）、放送局名が表示されている場合はそのチューナー部１８で受信している放送局名が記憶部１４に設定される（ステップＳ２０）。
【００４１】
なお、ステップＳ１８でリージョナルオートプリセット済みでないと判定された場合や、ステップＳ１９で放送局名が表示されておらず、リージョナルオートプリセット済みではあるがそのプリセット済みの受信設定（周波数）で受信可能な放送局のデータを受信していない場合は、チューナー部１８で受信している周波数、つまり、ステップＳ１２で開始されてＭＤメカ部２２において格納されたデータを受信した周波数が記憶部１４に設定される（ステップＳ２１）。
【００４２】
ステップＳ２０、Ｓ２１に次いで、ＭＤメカ部２２のＭＤ内におけるＵＴＯＣ情報が参照されて、ステップＳ２０、Ｓ２１で記憶部１４に設定された放送局名や周波数と同一名称のグループが登録済みであるか否かが判定される（ステップＳ２２）。このステップＳ２２において、同じ放送局名／周波数を名称とするグループが登録済みである場合は、ステップＳ１２で開始されてＭＤメカ部２２においてＭＤに格納されたトラックデータが同じ名称のグループに登録される（ステップＳ２４）。
【００４３】
また、ステップＳ２２において、同じ放送局名／周波数を名称とするグループが登録済みでない場合は、ステップＳ２０、Ｓ２１で記憶部１４に設定された放送局名／周波数を名称とするグループが生成され、ステップＳ１２で開始されてＭＤメカ部２２においてＭＤに格納されたトラックデータがその生成されたグループに登録される（ステップＳ２５）。
【００４４】
ステップＳ２４、Ｓ２５に次いで、上述した処理で登録されたグループやトラックを反映させるため、ＭＤメカ部２２にＵＴＯＣ情報を更新するための更新要求が出力され（ステップＳ２６）、ＭＤメカ部２２でのＵＴＯＣ情報の更新完了が判定される（ステップＳ２７：Ｙ）まで待機された後、終了する。
【００４５】
上述した処理により、記録装置１では、図４（ａ）に示すように、チューナー部１８で受信したデータを、当該チューナー部１８の受信設定を示す放送局名（例えば「ＡＡＡ」放送局）／周波数（例えば「ＸＸＸＭＨｚ」）をグループ名とし、受信した日付（例えば「２００Ａ＿ＡＡ＿ＡＡ＿ＡＡＡＡ」）などをタイトル名として識別可能なトラックデータとしてＭＤメカ部２２に格納することができる。
【００４６】
［記憶媒体読出／書込部１５でデータを格納する場合について］
次に、記録装置１において、チューナー部１８で受信したデータを記憶媒体読出／書込部１５を介して記憶媒体に格納する処理について説明する。図３に示すように、記録装置１においてチューナー部１８でのデータ受信により処理が開始されると、操作部１３のＲＥＣキー入力が判定された後（ステップＳ３１：Ｙ）、リージョナルオートプリセット済みであるか否かが判定される（ステップＳ３２）。
【００４７】
ステップＳ３２において、プリセット済みである場合は、表示部１２に放送局名が表示されているか否か、つまり、チューナー部１８で受信中のデータがオートプリセット済みの受信設定（周波数）で設定された放送局から送信されたデータであるか否かが判定され（ステップＳ３３）、放送局名が表示されている場合はその放送局名が記憶部１４に設定される（ステップＳ３４）。
【００４８】
なお、ステップＳ３２でリージョナルプリセット済みでないと判定された場合や、ステップＳ３３で放送局名が表示されておらず、リージョナルオートプリセット済みではあるがそのプリセット済みの受信設定で受信可能な放送局のデータを受信していない場合は、チューナー部１８で受信している周波数が記憶部１４に設定される（ステップＳ３５）。
【００４９】
ステップＳ３４、Ｓ３５に次いで、記憶媒体読出／書込部１５における記憶媒体内のフォルダが参照されて、ステップＳ３４、Ｓ３５で記憶部１４に設定された放送局名や周波数と同一名称のフォルダ名が記憶媒体上に存在するか否かが判定される（ステップＳ３６）。このステップＳ３６において、同じ放送局名・周波数を名称とするフォルダが存在する場合は、そのフォルダ内にステップＳ３１の指示に基づいて行われる録音先のファイルが登録される（ステップＳ３７）。
【００５０】
また、ステップＳ３６において、同じ放送局名／周波数を名称とするフォルダが記憶媒体上に存在しない場合は、ステップＳ３４、Ｓ３５で記憶部１４に設定された放送局名／周波数を名称とするフォルダが記憶媒体上に新たに生成され、そのフォルダ内にステップＳ３１の指示に基づいて行われる録音先のファイルが登録される（ステップＳ３８）。
【００５１】
次いで、その登録されたファイルへチューナー部１８で受信したデータの格納、つまり、録音が開始され（ステップＳ３９）、操作部１３のＳＴＯＰキー入力が判定された後（ステップＳ４０）、ステップＳ３９で開始された録音の停止要求が記憶媒体読出／書込部１５へ出力され（ステップＳ４１）、記憶媒体読出／書込部１５でのデータ格納の停止完了が判定される（ステップＳ４２：Ｙ）まで待機される。
【００５２】
ステップＳ４２に次いで、現在の日付をステップＳ３９で開始された録音先のファイルのファイル名とする書き込み要求が記憶媒体読出／書込部１５へ出力され（ステップＳ４３）、記憶媒体読出／書込部１５でのファイル名の書き込み完了が判定される（ステップＳ４４：Ｙ）まで待機された後、終了する。
【００５３】
上述した処理により、記録装置１では、図４（ｂ）に示すように、チューナー部１８で受信したデータを、当該チューナー部１８の受信設定を放送局名（例えば「ＡＡＡ」放送局）／周波数（例えば「ＸＸＸＭＨｚ」）をフォルダ名とし、受信した日付（例えば「２００Ａ＿ＡＡ＿ＡＡ＿ＡＡＡＡ．ＭＰ３」などをファイル名として識別可能なファイルデータとして記憶媒体上に格納することができる。
【００５４】
以上のように、記録装置１は、何れかの受信設定（周波数）を選択時に受信可能に放送局から配信されるデータをチューナー部１８で受信し、ＭＤメカ部２２でこの受信されたデータをトラック毎、つまり、記録単位毎に格納するとともに、当該トラック毎の関連付けを行うグループ情報を格納する際に、制御部１１において、チューナー部１８の受信設定を取得し、その取得された受信設定をグループ情報に設定する構成である。
【００５５】
このため、記録装置１は、配信されるデータの各々はトラック毎に識別可能であって、各トラックは当該トラックに格納するデータを受信した際の受信設定が設定されたグループ情報に関連付けられているため、同一の放送局から送信される複数の番組をトラック毎に記憶媒体等に記録する場合であっても、その記憶媒体に記録されたトラックの検索を容易にすることができる。
【００５６】
また、記録装置１は、何れかの受信設定（周波数）を選択時に受信可能に放送局から配信されるデータをチューナー部１８で受信し、記憶媒体読出／書込部１５でこの受信されたデータをファイルデータを記録単位として階層別に格納する際に、制御部１１において、チューナー部１８の受信設定を取得し、その取得された受信設定をファイルデータを格納する階層に設定する構成である。
【００５７】
このため、記録装置１は、配信されるデータの各々はファイルデータとして識別可能であって、ファイルデータは当該ファイルデータとして格納するデータを受信した際の受信設定が設定された階層に格納されるため、同一の放送局から送信される複数の番組をファイルデータとして記憶媒体等に記録する場合であっても、その記憶媒体に記録されたファイルデータの検索を容易にすることができる。
【００５８】
また、記録装置１は、放送局から配信されるデータを受信可能な受信設定である周波数情報とそれを識別するための放送局名とが関連付けられているリージョナルオートプリセット済み情報を記憶部１４に格納し、制御部１１において、チューナー部１８の受信設定（周波数）がリージョナルオートプリセット済みの受信設定である場合はその受信設定に関連付けられた放送局名を受信設定とする構成である。
【００５９】
このため、記録装置１は、ＭＤメカ部２２に格納する際のグループ情報や記憶媒体読出／書込部１５に格納する際の階層の設定を、ユーザーが分かり易いオートプリセット済みの放送局名で行うことができる。
【００６０】
なお、上述した実施の形態における記述は、一例を示すものであり、これに限定するものではない。上述した実施の形態における構成及び動作に関しては、要旨を逸脱しない範囲で適宜変更が可能である。
【００６１】
例えば、本実施の形態では、チューナー部１８からいわゆるラジオ放送を受信し、その受信データをＭＤメカ部２２や記憶媒体読出／書込部１５で格納する構成を例示したが、そのチューナー部１８に代わり、インターネットなどの通信ネットワークに通信可能に接続する通信部を有し、インターネット上のサーバなどから配信されるデータ（インターネットラジオ）を受信する構成であってもよい。
【００６２】
この通信部を有する記録装置１では、配信元サーバのアドレスなどの受信設定を行い、当該サーバから配信されるデータを受信して、上述した処理と同様な処理を行うことで、前述したラジオ放送の場合と同様に、ＭＤメカ部２２や記憶媒体読出／書込部１５でインターネットラジオのデータを格納することができる。
【００６３】
さらに、通信部を有する記録装置１においては、配信元のサーバを識別するサーバ名やインターネットラジオ名称と受信設定とを関連付けたプリセット済み情報を記憶部１４に格納し、前述したリージョナルオートプルセット済み情報と同様に、通信部における受信設定がプリセット済みの受信設定である場合はその受信設定に関連付けられたサーバ名やインターネットラジオ名称を受信設定としてもよい。
【図面の簡単な説明】
【００６４】
【図１】記録装置１の機能的構成を模式的に示すブロック図である。
【図２】記録装置１において、チューナー部１８で受信したデータをグループ毎にタイトルを付してＭＤメカ部２２で格納する処理を示すフローチャートである。
【図３】記録装置１において、チューナー部１８で受信したデータをフォルダ毎にファイル名を付して記憶媒体に格納する処理を示すフローチャートである。
【図４】（ａ）は、グループ毎にタイトルを付して格納されたデータを例示する概念図であり、（ｂ）は、フォルダ毎にファイル名を付して格納されたデータを例示する概念図である。
【符号の説明】
【００６５】
１  記録装置
１１  制御部
１２  表示部
１３  操作部
１４  記憶部
１４ａ  リージョナルオートプリセット情報
１５  記憶媒体読出／書込部
１６  ＣＤメカ部
１７  入出力端子部
１８  チューナー部
１８ａ  アンテナ
１９  セレクター
２０  ＡＤＣ
２１  ＤＳＰ
２２  ＭＤメカ部
２３  ＤＡＣ
２４  アンプ部
２５  音声出力部
１５１ａ  メモリスロット
１５１ｂ  メモリカード
１５２ａ  ＵＳＢスロット
１５２ｂ  ＵＳＢメモリ
１５３  ＨＤＤ
１５４  半導体メモリ
【図１】
2008159174.tif 000003
【図２】
2008159174.tif 000004
【図３】
2008159174.tif 000005
【図４】
2008159174.tif 000006